(57)【要約】【課題】この発明は車両の走行方向などに合わせてミラーの角度を調整し、状況に応じて良好な後方視野が得られ、かつ正確に位置決めできる車両用ミラーの角度自動装置を提供するこ。【解決手段】マイクロプロセッサを含んでなり、車両に設けられて車両のバックギアの信号供給部と、左右ウインカーの信号供給部とにそれぞれ電気的に接続し、かつ車両のバックミラーの駆動手段に電気的に接続する制御部と、  該バックミラーの背面側に設けられ、該制御部と電気的に接続し、該バックミラーの回転にしたがって回転し、かつ該バックミラーの角度の座標パラメータを検知して該制御部の該マイクロプロセッサに送信して、該マイクロプロセッサの読み取りに供する検知手段と、を少なくとも含んでなる。【選択図】  図３
2010254209.tif 000002
【特許請求の範囲】
【請求項１】
マイクロプロセッサを含んでなり、車両に設けられて車両のバックギアの信号供給部と、左右ウインカーの信号供給部とにそれぞれ電気的に接続し、かつ車両のバックミラーの駆動手段に電気的に接続する制御部と、
該バックミラーの背面側に設けられ、該制御部と電気的に接続し、該バックミラーの回転にしたがって回転し、かつ該バックミラーの角度の座標パラメータを検知して該制御部の該マイクロプロセッサに送信して、該マイクロプロセッサの読み取りに供する検知手段と、を少なくとも含んでなることを特徴とする車両用ミラーの角度自動調整装置。
【請求項２】
前記制御部が車両のバック信号を受信すると、信号を該駆動手段に出力して車両の両バックミラーの内の少なくとも一方のバックミラーを駆動させ、該バックミラーが下方に回転し、逆に前記制御部が、バックギアから離れる信号を受信すると信号を該駆動手段に出力して該バックミラーを駆動させて上方に回転させて該バックミラーが下方に回転する前の初期の位置に復帰させるように構成することを特長とする請求項１に記載の車両用ミラーの角度自動調整装置。
【請求項３】
車両が走行中に方向転換しようとして左右ウインカー内のいずれか一方を操作すると、前記制御部がいずれかのウインカーの動作の信号を受信し、該制御部がは信号を出力して、転換する方向のウインカーに対応するバックミラーの駆動手段が動力を出力し、該駆動手段の駆動を受けたバックミラーが車体の前部の方向にしたがって回転し、逆に、該制御部はウインカーの作動信号の受信が終了すると、該駆動手段に信号を出力して該バックミラーバックミラーを逆方向に駆動し、該バックミラーが車体の後方に向かって回転して、該バックミラーが前方に回転する前の初期の位置に復帰させるように構成することを特長とする請求項１に記載の車両用ミラーの角度自動調整装置。
【請求項４】
走行中に方向転換をしようと、左右いずれかのウインカーを操作した場合、該ウインカーに対応する側のバックミラーが回転して所定の位置に至る以外に、回転して所定の位置に至った後、該駆動手段がゆっくりと後方に向かって駆動し、前後に駆動する動作が交錯し、かつ持続して、該バックミラーが前後に継続して回転するように構成することを特長とする請求項３に記載の車両用ミラーの角度自動調整装置。
【請求項５】
前記制御部が左右ウインカーが同時に作動する信号受信した場合、前記制御部が該バックミラーの該駆動手段に対する信号の出力を中止することを特徴とする請求項１に記載の車両用ミラーの角度自動調整装置。
【請求項６】
前記検知手段がＧセンサーとジャイロセンサーであるか、もしくはいずれか一つであることを特徴とする請求項１に記載の車両用ミラーの角度自動調整装置。
【発明の詳細な説明】
【技術分野】
【０００１】
この発明は、車両用のミラーに関し、特に、自動車の右折、左折、バックなどの動作に合わせて鏡面の角度を自動的に調整する車両用ミラーの自動調整装置に関する。
【背景技術】
【０００２】
自動車のドアやフェンダーなどに取り付ける車両用ミラーは、車室内の運転席から遠隔調整できるようにした電動リモートコントロール方式のミラーが広く用いられている。係るリモートコントロール式のミラーは角度を調整する装置を有する。
【０００３】
また、特許公開２００８−１１５０に開示される車両用ミラーは、車両の上下方向における乗員の目の位置を検出する目位置検出手段と、検出した目の位置に基づいて、車両に搭載された後方確認用のミラーの反射面の角度であるミラー角度が適正角度となるように制御する制御手段と、を具えてなる。
【０００４】
図１に、従来のドアミラーの角度調整装置を開示する。図面によれば、ドアミラー１はハウジング１１にバックミラー１２を回動自在に設け、ハウジング１１内にバックミラー１２を駆動する駆動手段１３と、バックミラー１２の角度を検知する角度検知手段１４を設ける。係る構造における最大の欠点は、バックミラー１２を回転させて所定の角度に傾斜させる場合、いかにして正確に位置決めするかという点にある。
【先行技術文献】
【特許文献】
【０００５】
【特許文献１】特許公開２００８−１１５０号公報
【発明の概要】
【発明が解決しようとする課題】
【０００６】
しかしながら、従来の車両用ミラーの角度調整装置は、座席の位置、もしくは運転者の体格に合わせて車両用ミラーの角度を調整する装置であって、即ち、目の位置を基準にしてミラーの鏡面の傾斜角度を調整するものであって、たとえば右折、左折、後退などの車両の走行方向などに合わせてミラーの角度を調整するものではない。
【０００７】
そこで、この発明は車両の走行方向などに合わせてミラーの角度を調整し、状況に応じて良好な後方視野が得られ、かつ正確に位置決めできる車両用ミラーの角度自動装置を提供することを課題とする。
【課題を解決するための手段】
【０００８】
そこで、本発明者はマイクロプロセッサを含んでなり、車両に設けられて車両のバックギアの信号供給部と、左右ウインカーの信号供給部とにそれぞれ電気的に接続し、かつ車両のバックミラーの駆動手段に電気的に接続する制御部と、及び該バックミラーの背面側に設けられ、該制御部と電気的に接続し、該バックミラーの回転にしたがって回転し、かつ該バックミラーの角度の座標パラメータを検知して該制御部の該マイクロプロセッサに送信して、該マイクロプロセッサの読み取りに供する検知手段と、含んでなる車両用ミラーの角度自動調整装置の構造によって課題を解決できる点に着眼し、係る知見に基づいて本発明を完成させた。
【０００９】
以下、この発明について具体的に説明する。
請求項１に記載する車両用ミラーの角度自動調整装置は、マイクロプロセッサを含んでなり、車両に設けられて車両のバックギアの信号供給部と、左右ウインカーの信号供給部とにそれぞれ電気的に接続し、かつ車両のバックミラーの駆動手段に電気的に接続する制御部と、
該バックミラーの背面側に設けられ、該制御部と電気的に接続し、該バックミラーの回転にしたがって回転し、かつ該バックミラーの角度の座標パラメータを検知して該制御部の該マイクロプロセッサに送信して、該マイクロプロセッサの読み取りに供する検知手段と、を少なくとも含んでなる。
【００１０】
請求項２に記載する車両用ミラーの角度自動調整装置は、請求項１における制御部が車両のバック信号を受信すると、信号を該駆動手段に出力して車両の両バックミラーの内の少なくとも一方のバックミラーを駆動させ、該バックミラーが下方に回転し、逆に前記制御部が、バックギアから離れる信号を受信すると信号を該駆動手段に出力して該バックミラーを駆動させて上方に回転させて該バックミラーが下方に回転する前の初期の位置に復帰させるように構成する。
【００１１】
請求項３に記載する車両用ミラーの角度自動調整装置は、車両が走行中に方向転換しようとして左右ウインカー内のいずれか一方を操作すると、請求項１における制御部がいずれかのウインカーの動作の信号を受信し、該制御部がは信号を出力して、転換する方向のウインカーに対応するバックミラーの駆動手段が動力を出力し、駆動手段の駆動を受けたバックミラーが車体の前部の方向にしたがって回転し、逆に、該制御部はウインカーの作動信号の受信が終了すると、該駆動手段に信号を出力して該バックミラーバックミラーを逆方向に駆動し、該バックミラーが車体の後方に向かって回転して、該バックミラーが前方に回転する前の初期の位置に復帰させるように構成する。
【００１２】
請求項４に記載する車両用ミラーの角度自動調整装置は、走行中に方向転換をしようと、左右いずれかのウインカーを操作した場合、該ウインカーに対応する側のバックミラーが回転して所定の位置に至る以外に、回転して所定の位置に至った後、該駆動手段がゆっくりと後方に向かって駆動し、前後に駆動する動作が交錯し、かつ持続して、該バックミラーが前後に継続して回転するように構成する。
【００１３】
請求項５に記載する車両用ミラーの角度自動調整装置は、請求項１における制御部が左右ウインカーが同時に作動する信号受信した場合、前記制御部が該バックミラーの該駆動手段に対する信号の出力を中止する。
【００１４】
請求項６に記載する車両用ミラーの角度自動調整装置は、請求項１における検知手段がＧセンサーとジャイロセンサーであるか、もしくはいずれか一つである。
【発明の効果】
【００１５】
この発明によれば、車両のバック、右折、左折などの動作に応じて自動的にバックミラーの傾斜角度を調整でき、好ましい後方視界が得られ、車両を運転する際の安全性を大きく高めるという利点を有する。
【図面の簡単な説明】
【００１６】
【図１】従来のバックミラー自動調整装置の構造を示した説明図である。
【図２】この発明によるバックミラーの使用態様を示した説明図である。
【図３】この考案によるバックミラーの角度自動調整装置の構造を示したブロック図である。
【発明を実施するための形態】
【００１７】
図２、３に開示するように、この発明による車両用ミラーの角度自動調整装置は、制御部２１と、検知手段２２とによって角度自動調整装置２を構成する。制御部２１は、マイクロプロセッサ２１１を有する。制御部２１は車両側に設けられ、車両３のバックギア（Ｒ）３１の信号供給部、左右ウィンカー３２、３３の信号供給部に電気的に接続する。また、制御部２１は車両３のバックミラー３４の駆動手段３４１に電気的に接続する。
【００１８】
検知手段２２は制御部と電気的に接続する。検知手段２２は、Ｇセンサー２２１とジャイロセンサー２２２とであるか、もしくはいずれか一つを選択してもよい。
【００１９】
検知手段２２はバックミラー３４の背面側に、鏡３４の回動する動きに連動するように設ける。また、バックミラー３４によって形成される角度の座標パラメータを制御部２１のマイクロプロセッサ２１１に送信し、マイクロプロセッサ２１１によって読み取る。
【００２０】
制御部２１のマイクロプロセッサ２１１は、バックミラー３４が静止した場合、及び上下、もしくは前後方向に回転した場合の角度の座標パラメータを読み取ることができる。これらバックミラー３４の角度の座標パラメータは、予めマイクロプロセッサ２１１に設定しておくか、もしくは車両の電子設備が学習モードによって得てもよい。但し、バックミラー３４の角度の座標パラメータを予め設定する技術、学習モード、更新などの機能は、種々の電子回路のレイアウトに、その応用によって達成することができるが、これらは本願発明における特許の標的となるものではないので、詳細な説明は割愛する。
【００２１】
車両３をバックさせようとしてバックギア３１にギアチェンジすると、制御部２１は車両３のバックギア３１が出力する信号を受信し、同時に信号を駆動手段３４１に出力して車両３の両バックミラー３４の内の少なくとも一方のバックミラー３４を駆動させる。バックミラー３４が下方に回転すると、バックミラー３４の背面側に設けたＧセンサー２２１とジャイロセンサー２２２とが、バックミラー３４の回転に連動し、同期して回転し、Ｇセンサー２２１とジャイロセンサー２２２との角度の座標に変化が発生する。Ｇセンサー２２１とジャイロセンサー２２２との角度の座標が予め設定したパラメータに至る時が、即ちバックミラー３４が回転して所定の位置に至る時である。
【００２２】
Ｇセンサー２２１とジャイロセンサー２２２との回転の動作によって、予め設定された角度の座標に至ったことを制御部２１のマイクロプロセッサ２１１が検知すると、信号を駆動手段３４１に出力してバックミラー３４の動作を中止させて、バックミラー３４の下方へ回転動作を完成させる。
【００２３】
前記のバックミラー３４が回転する動作によって到達する所定の位置は、車両３の後方の下方を映す位置であり、もしくは車両３の後輪、または後輪に近接したエリアを範囲を映す位置である。これら位置を映すことによって、運転者が車両３をバックさせる場合に運転者がはっきり見ることが出来るようにして、予期せぬ事故の発生を防ぎ、車両走行時の安全性を確保する。
【００２４】
運転者がギアチェンジの操作を行い、バックギア３１から離れると、制御部２１がこの信号を受信し、かつ駆動手段３４１を駆動する信号を出力してバックミラー３４を逆方向に駆動する。バックミラー３４は、駆動手段３４１による逆方向への駆動を受けて逆方向、即ち上方向に回転する。この場合、バックミラー３４の上方向への回転に連動し、背面側に設けたＧセンサー２２１とジャイロセンサー２２２とが同期して回転し、Ｇセンサー２２１とジャイロセンサー２２２との角度の座標に変化が起きる。Ｇセンサー２２１とジャイロセンサー２２２との角度の在票が予め設定されたパラメータに達すると、バックミラー３４が上方向に回転して予め設定した位置に至る。即ち、バックミラー３４が下方に向かって回転を始める初期の位置である。この場合、制御部２１のマイクロプロセッサー２１１はＧセンサー２２１とジャイロセンサー２２２とが上に向かって回転し、すでに予め設定された角度の座標に至ったことを検知し、信号を駆動手段３１１に出力してバックミラー３４の駆動を中止させ、バックミラー３４の上に向かって回転する動作が完了する。よって、バックミラー３４は下方に回転する前の位置に確実に復帰し、運転者の正常な運転に供することができる。
【００２５】
この発明の第２の実施の形態を説明する。走行中に左右ウインカー３２、３３の内のいずれか一方を操作すると、制御部２１はいずれかのウインカーの動作の信号を受信する。但し、左右ウインカー３２、３３が同時に作動して警告の効果を発揮した場合、制御部２１はこれを読みとって判断し、動作を行わない。
【００２６】
制御部２１がウインカーの動作の正確な実行信号を読み取ると、制御部２１は信号を出力して、転換する方向のウインカーに対応するバックミラー３４の駆動手段３４１は動力を出力する。駆動手段３４１の駆動を受けたバックミラー３４は車体の前部の方向にしたがって回転し、バックミラー３４の回転につれて背面側に設けたＧセンサー２２１とジャイロセンサー２２２も同期して回転し、Ｇセンサー２２１とジャイロセンサー２２２との角度の座標に変化が発生する。Ｇセンサー２２１とジャイロセンサー２２２との角度の座標が所定のパラメータに至ると、即ちバックミラー３４の回転が所定の位置に至る。この場合、制御部２１のマイクロプロセッサー２１１によって、Ｇセンサー２２１とジャイロセンサー２２２との回転が所定の角度の座標に既に至ったと判断し、信号を駆動手段３４１に出力して、バックミラー３４を駆動する動作を中止させ、バックミラー３４が前方に向かって回転する動作が完了する。このバックミラー３４が車体の前方に向かって回転し所定の位置に至る動作は、バックミラー３４が車体外の後方の沙汰に広い範囲の療育を十分に映すことのできる位置である。よって、運転者は走行中に方向転換を行う場合、バックミラー３４によって車体後方の更にに広い視野を獲得することができる。故に、車両走行時の安先生を高めることができる。
【００２７】
逆に、車両が走行中の方向転換の動作を完成させると、制御部２１はこの信号を受信して、駆動手段３４１に信号を出力してバックミラーバックミラー３４を逆方向に駆動する。バックミラー３４が車両後方に向かって回転すると、バックミラー３４の回転にしたがって背面側に設けたＧセンサー２２１とジャイロセンサー２２２と剛毅して後方に向かって回転し、Ｇセンサー２２１とジャイロセンサー２２２との角度の座標に変化がおきる。Ｇセンサー２２１とジャイロセンサー２２２との角度の座標が所定のパラメータに達すると、バックミラー３４が回転して所定の位置に至る。即ち、バックミラー３４が前方に回転する前の初期の位置である。この場合、制御部２１のマイクロプロセッサ２１１が、Ｇセンサー２２１とジャイロセンサー２２２とが後方に回転して所定の角度の座標に至ったことを読み取ると、駆動手段３４１に信号を出力してバックミラー３４の動作を中止させ、バックミラー３４の後方に回転する動作を完成させる。バックミラー３４が、回転するまえの位置に確実に復帰し、正常は走行を回復させた場合の後方視界の確保を運転者に供する。
【００２８】
また、他の実施の形態として、走行中に方向転換をしようと、左右いずれかのウインカー３２、３３を操作した場合、上述するように、バックミラー３４が駆動手段３４１の駆動を受けて前方に回転して所定の位置に至るように設定する以外に、回転して所定の位置に至った後、駆動手段３４１ゆっくりと後方に向かって駆動され、前後に駆動される動作が交錯し、かつ持続して、バックミラー３４が前後に継続して回転し、さらに一歩進んで運転者の視覚を広げるように設定してもよい。
【００２９】
本願発明において注目に値すべき点は、バックミラー３４が回転した時、駆動手段３４１の出力する動力が正方向であろうと逆方向であろうと、また駆動手段３４１に問題があり、バックミラー３４を駆動して回転過多、又は不足の情況が発生した場合、もしくはＧセンサー２２１とジャイロセンサー２２２の角度の座標が回転の家庭で正確なパラメータ値に至らなかった場合、如何なる情況であると制御部２１のマイクロプロセッサ２１１の読み取りによって検知することができ、マイクロプロセッサ２１１の得たパラメータ値にしたがって信号を出力し、駆動手段３４１をして、継続して正方向、もしくは逆方向の動力を出力させて修正を行い、バックミラー３４を正確に回転させて所定の角度の位置に至らせるという点である。係るメカニズムによって、バックミラー３４を正確に回転させて所定の位置に至らしめ、回転が不確実で、バックミラー３４の角度の位置を調整できないという情況が発生しない。
【００３０】
以上はこの発明の好ましい実施の形態であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に含まれるものとする。
【符号の説明】
【００３１】
１                  ドアミラー
１１                     ハウジング
１２                     バックミラー
１３                     駆動手段
１４                     角度検知手段
２１                     制御部
２１１           マイクロプロセッサ
２２                     検知手段
２２１           Ｇセンサー
２２２           ジャイロセンサー
３１                     バックギア
３２、３３    ウインカー
３４                     バックミラー
３４１           駆動手段
【図１】
2010254209.tif 000003
【図２】
2010254209.tif 000004
【図３】
2010254209.tif 000005